(57)【要約】【課題】電源ソケットと電源プラグとの接続を確実なものとすることができると共に、これらの接続作業性を簡素化することができる電源接続装置を提供する。【解決手段】本発明の電源接続装置２５は、端子５４、５５を備えた電源プラグ２８に回動自在に取り付けられたハンドル５１には、電極部３６を有する電源ソケット２７の被係合部４２に係脱自在に係合する係合爪５３と、電源ソケット２７に当接する当接部５９と把手部５８とを有し、把手部の電源ソケットから離間する方向への回動は、当接部５９が電源ソケット２７に当接した際に、把手部５８が電源ソケット２７に近接する方向にハンドル５１が回動する角度にて制限される。【選択図】図１５
2011034764.tif 000002
【特許請求の範囲】
【請求項１】
電極部を有する電源ソケットと、前記電極部に電気的に接続される端子を有する電源プラグとから構成された電源接続装置において、
前記電源ソケットに形成された被係合部と、
一端部に把手部、他端部に当接部を有して、それらの間に位置する枢支部が前記電源プラグに回動自在に取り付けられたハンドルとを備え、
該ハンドルは、前記枢支部、又は、当該枢支部より前記把手部側に位置して前記電源ソケットの被係合部に係脱自在に係合する係合爪を有し、
前記端子を前記電極部に接続する方向に前記電源プラグが前記電源ソケットに押し付けられ、前記ハンドルの当接部が前記電源ソケットに当接した場合、前記把手部が前記電源ソケットに近接する方向に前記ハンドルは回動されて前記係合爪は前記被係合部に係合し、
その状態より前記把手部が前記電源ソケットから離間する方向に前記ハンドルが回動された場合、前記係合爪と前記被係合部との係合、及び、前記電極部と前記端子との接続は解除されると共に、
前記把手部が前記電源ソケットから離間する方向への前記ハンドルの回動は、前記当接部が前記電源ソケットに当接した際に、前記把手部が前記電源ソケットに近接する方向に前記ハンドルが回動する角度にて制限されることを特徴とする電源接続装置。
【請求項２】
電極部を有する電源ソケットと、前記電極部に電気的に接続される端子を有する電源プラグとから構成された電源接続装置において、
前記電源ソケットに形成された被係合部と、
一端部に把手部、他端部に当接部を有して、それらの間に位置する枢支部が前記電源プラグに回動自在に取り付けられたハンドルとを備え、
該ハンドルは、前記枢支部、又は、当該枢支部より前記把手部側に位置して前記電源ソケットの被係合部に係脱自在に係合する係合爪を有し、
前記端子を前記電極部に接続する方向に前記電源プラグが前記電源ソケットに押し付けられ、前記ハンドルの当接部が前記電源ソケットに当接した場合、前記把手部が前記電源ソケットに近接する方向に前記ハンドルは回動されて前記係合爪は前記被係合部に係合し、
その状態より前記把手部が前記電源ソケットから離間する方向に前記ハンドルが回動された場合、前記係合爪と前記被係合部との係合、及び、前記電極部と前記端子との接続は解除されると共に、
前記電源プラグには、把手部が前記電源ソケットから離間する方向への前記ハンドルの回動を、前記電源ソケットと交差する角度が９０°未満となる位置にて停止させる回動規制構造が設けられていることを特徴とする電源接続装置。
【請求項３】
前記電源プラグの前記端子とは反対側の面に前記ハンドルが当接することにより、当該ハンドルの回動が制限、又は、停止されることを特徴とする請求項１又は請求項２に記載の電源接続装置。
【請求項４】
前記係合爪は、前記当接部が前記電源ソケットに当接すること無く前記電源プラグが当該電源ソケットに押し付けられた場合にも、前記被係合部に係脱自在に係合可能とされていることを特徴とする請求項１乃至請求項３のうちの何れかに記載の電源接続装置。
【請求項５】
前記電源ソケットは、前記電源プラグの端子が電極部に接続されていない状態で当該電極部を被覆する防滴カバーを備えることを特徴とする請求項１乃至請求項４のうちの何れかに記載の電源接続装置。
【請求項６】
前記電源ソケットは、前記電極部に並設されて前記防滴カバーを着脱自在に保持する保持部を備え、
前記防滴カバーは、弾性を有して延在し、先端が前記電源ソケットに回動自在に枢支された連結腕を備え、該連結腕は、先端と前記防滴カバーの中心とを結ぶ線が当該防滴カバーと交差する位置とは異なる位置より突出し、先端に向けて延在していることを特徴とする請求項５に記載の電源接続装置。
【発明の詳細な説明】
【技術分野】
【０００１】
本発明は、例えばショーケースにおける照明灯などに電源を供給するための電源接続装置に関するものである。
【背景技術】
【０００２】
一般に、ショーケースなどでは、本体の庫内に接続された電源ソケットとこの電源ソケットに差し込んで照明灯などに電源を供給する電源プラグとで構成された電源接続装置が設けられる。従来の電源接続装置は、例えば特許文献１に示すように、電源ソケットは、電極部が構成された凹所が形成されている。この電極部には、電源用差込口が形成されている。電源プラグは、照明灯などへの配線が接続された本体と円筒部とを備え、円筒部の内側の底部には、端子が設けられている。これにより、電源ソケットの電極部に電源プラグを差し込む際には、電源プラグの端子を電源ソケットの電源用差込口に差し込むことにより行われる。
【０００３】
当該電源接続装置が低温ショーケースに用いられる場合、電源プラグは、庫内に複数段架設される棚装置の前端下側に設けられる照明灯などの電源プラグであり、庫内のレイアウトを変更等する場合には、棚装置の架設位置が変更され、これに伴って、電源プラグが接続される電源ソケットが変更される。
【０００４】
一方、当該電源接続装置は、ショーケースの低温となる庫内背面に設けられた場合、庫内に生じる湿気が電極部と端子との接続部分に侵入しやすい。湿気の侵入によって、漏電の原因や、端子等のさび付きを招来する。また、これら電源プラグと電源ソケットとの間に霜付きが生じ、当該霜が成長すると、電源プラグが電源ソケットから引き離される方向に力が加わり、電源プラグが脱落してしまう問題がある。
【０００５】
そのため、電源プラグと電源ソケットの接続部には、防止構造が採用されている。しかし、これによって、電源プラグと電源ソケットとの脱着作業が悪いものとなっている。更に、低温環境下では、電源ソケット内部の空気が収縮することにより、より一層、脱着し難いものとなる。
【０００６】
そこで、従来では、電源プラグと電源ソケットとの接続を確実なものとするため、電源ソケット側に被係合部を設けると共に、電源プラグ側に一端に回動自在なハンドルを設け、当該ハンドルの他端に前記電源ソケット側の被係合部と係脱自在に係合される係合爪とを備えたものが開発されている。
【先行技術文献】
【特許文献】
【０００７】
【特許文献１】特開平１１−２７３７７５号公報
【発明の概要】
【発明が解決しようとする課題】
【０００８】
上記従来の構成では、電源ソケットに電源プラグを接続する場合、ハンドルを起立させた状態で、電源プラグの端子を電源ソケットの電源部に押し込むことで、ハンドル端部に形成された係合爪がその弾性力によって電源ソケット側の被係合部に係合されるものであった。しかし、ショーケースに設けられた電源ソケットは、通常、庫内背面に設けられていることから、作業者は、ショーケースの手前側から庫内背面に設けられた電源ソケットに向けて電源プラグを押し込む作業を行うこととなる。そのため、作業者から当該庫内背面が所定の距離を有するため、作業を容易とすべく、電源プラグのハンドルを手前側に倒した状態で、電源ソケットに押し込み、その後、電源プラグの係合爪と、電源ソケットの被係合部とを係合させるべく、ハンドルを上方に回動させる作業が必要となった。
【０００９】
また、当該構成では、ハンドルは電源ソケットに対して略直角よりも更に、下方に向けて回動可能な構成とされていたため、自重によってハンドルが手前側下方に回動された状態で、ハンドルの電源ソケット側の端部が電源ソケットに当接すると、当該当接部が邪魔となり、ハンドルを上方に回動させる作業ができなくなる。そのため、一旦ハンドルを上方に回動させ、その位置を維持しながら電源ソケットに電源プラグを挿入しなければならず、接続作業性が煩雑となる問題がある。
【００１０】
本発明は、従来の技術的課題を解決するためになされたものであり、電源ソケットと電源プラグとの接続を確実なものとすることができると共に、これらの接続作業性を簡素化することができる電源接続装置を提供する。
【課題を解決するための手段】
【００１１】
上記課題を解決するために、本発明の電源接続装置は、電極部を有する電源ソケットと、電極部に電気的に接続される端子を有する電源プラグとから構成されたものであって、電源ソケットに形成された被係合部と、一端部に把手部、他端部に当接部を有して、それらの間に位置する枢支部が電源プラグに回動自在に取り付けられたハンドルとを備え、このハンドルは、枢支部、又は、この枢支部より把手部側に位置して電源ソケットの被係合部に係脱自在に係合する係合爪を有し、端子を電極部に接続する方向に電源プラグが電源ソケットに押し付けられ、ハンドルの当接部が電源ソケットに当接した場合、把手部が電源ソケットに近接する方向にハンドルは回動されて係合爪は被係合部に係合し、その状態より把手部が電源ソケットから離間する方向にハンドルが回動された場合、係合爪と被係合部との係合、及び、電極部と端子との接続は解除されると共に、把手部が電源ソケットから離間する方向へのハンドルの回動は、当接部が電源ソケットに当接した際に、把手部が電源ソケットに近接する方向にハンドルが回動する角度にて制限されることを特徴とする。
【００１２】
請求項２の発明の電源接続装置は、電極部を有する電源ソケットと、電極部に電気的に接続される端子を有する電源プラグとから構成されたものであって、電源ソケットに形成された被係合部と、一端部に把手部、他端部に当接部を有して、それらの間に位置する枢支部が電源プラグに回動自在に取り付けられたハンドルとを備え、このハンドルは、枢支部、又は、この枢支部より把手部側に位置して電源ソケットの被係合部に係脱自在に係合する係合爪を有し、端子を電極部に接続する方向に電源プラグが電源ソケットに押し付けられ、ハンドルの当接部が電源ソケットに当接した場合、把手部が電源ソケットに近接する方向にハンドルは回動されて係合爪は被係合部に係合し、その状態より把手部が電源ソケットから離間する方向にハンドルが回動された場合、係合爪と被係合部との係合、及び、電極部と端子との接続は解除されると共に、電源プラグには、把手部が電源ソケットから離間する方向へのハンドルの回動を、電源ソケットと交差する角度が９０°未満となる位置にて停止させる回動規制構造が設けられていることを特徴とする。
【００１３】
請求項３の発明は、上記各発明において、電源プラグの端子とは反対側の面にハンドルが当接することにより、ハンドルの回動が制限、又は、停止されることを特徴とする。
【００１４】
請求項４の発明は、上記各発明において、係合爪は、当接部が電源ソケットに当接すること無く電源プラグが当該電源ソケットに押し付けられた場合にも、被係合部に係脱自在に係合可能とされていることを特徴とする。
【００１５】
請求項５の発明は、上記各発明において、電源ソケットは、電源プラグの端子が電極部に接続されていない状態で当該電極部を被覆する防滴カバーを備えることを特徴とする。
【００１６】
請求項６の発明は、上記発明において、電源ソケットは、電極部に並設されて防滴カバーを着脱自在に保持する保持部を備え、防滴カバーは、弾性を有して延在し、先端が電機ソケットに回動自在に枢支された連結腕を備え、この連結腕は、先端と防滴カバーの中心とを結ぶ線が防滴カバーと交差する位置とは異なる位置より突出し、先端に向けて延在していることを特徴とする。
【発明の効果】
【００１７】
本発明によれば、電極部を有する電源ソケットと、電極部に電気的に接続される端子を有する電源プラグとから構成された電源接続装置において、電源ソケットに形成された被係合部と、一端部に把手部、他端部に当接部を有して、それらの間に位置する枢支部が電源プラグに回動自在に取り付けられたハンドルとを備え、このハンドルは、枢支部、又は、この枢支部より把手部側に位置して電源ソケットの被係合部に係脱自在に係合する係合爪を有し、端子を電極部に接続する方向に電源プラグが電源ソケットに押し付けられ、ハンドルの当接部が電源ソケットに当接した場合、把手部が電源ソケットに近接する方向にハンドルは回動されて係合爪は被係合部に係合し、その状態より把手部が電源ソケットから離間する方向にハンドルが回動された場合、係合爪と被係合部との係合、及び、電極部と端子との接続は解除されると共に、把手部が電源ソケットから離間する方向へのハンドルの回動は、当接部が電源ソケットに当接した際に、把手部が電源ソケットに近接する方向にハンドルが回動する角度にて制限されるので、電源プラグの電源ソケットへの接続時には、回動角度が規制されたハンドルの当接部が、電源ソケットに当接した状態で、更に電源ソケット側に押し込まれることによって、当該当接部が電源ソケットに当接したままの状態で、ハンドルの把手部が電源ソケットに近接する方向に回動され、ハンドルの係合爪が、円滑に電源ソケットの被係合部に係合される。
【００１８】
これにより、回動角度が規制されたハンドルの当接部を、適切な角度にて電源ソケットに当接させることができ、この状態で電源ソケットに電源プラグを押し込む動作によって、ハンドルを把手部が電源ソケットに近接する方向に回動させて、係合爪と被係合部との係合を行うことが可能となり、接続作業性の向上を図ることができる。
【００１９】
電源プラグを電源ソケットから取り外す際には、ハンドルの把手部を電源ソケットから離間する方向に回動させることにより、電源ソケットと当接するハンドルの当接部は、てこの原理によって電源ソケット側に向けて押圧され、これによって、電源プラグと電源ソケットの係合が解除される。
【００２０】
これにより、電源プラグと電源ソケットとの接続を係合爪と被係合部との係合によって確実なものとすることができると共に、これらの接続作業性及び取外作業性の向上を図ることができる。
【００２１】
請求項２の発明によれば、電極部を有する電源ソケットと、電極部に電気的に接続される端子を有する電源プラグとから構成された電源接続装置において、電源ソケットに形成された被係合部と、一端部に把手部、他端部に当接部を有して、それらの間に位置する枢支部が電源プラグに回動自在に取り付けられたハンドルとを備え、このハンドルは、枢支部、又は、この枢支部より把手部側に位置して電源ソケットの被係合部に係脱自在に係合する係合爪を有し、端子を電極部に接続する方向に電源プラグが電源ソケットに押し付けられ、ハンドルの当接部が電源ソケットに当接した場合、把手部が電源ソケットに近接する方向にハンドルは回動されて係合爪は被係合部に係合し、その状態より把手部が電源ソケットから離間する方向にハンドルが回動された場合、係合爪と被係合部との係合、及び、電極部と端子との接続は解除されると共に、電源プラグには、把手部が電源ソケットから離間する方向へのハンドルの回動を、電源ソケットと交差する角度が９０°未満となる位置にて停止させる回動規制構造が設けられているので、電源プラグの電源ソケットへの接続時には、回動規制構造によって規制された角度にまで回動された状態のハンドルの当接部が、電源ソケットに当接した状態で、更に電源ソケット側に押し込まれることによって、当該当接部が電源ソケットに当接したままの状態で、ハンドルの把手部が電源ソケットに近接する方向に回動され、ハンドルの係合爪が、円滑に電源ソケットの被係合部に係合される。
【００２２】
これにより、電源ソケットに電源プラグを押し込む動作によって、電源ソケットから離間する方向に回動された状態のハンドルは、回動規制構造によって円滑に電源ソケットに近接する方向に回動させて、係合爪と被係合部との係合を行うことが可能となり、接続作業性の向上を図ることができる。
【００２３】
電源プラグを電源ソケットから取り外す際には、ハンドルの把手部を電源ソケットから離間する方向に回動させることにより、電源ソケットと当接するハンドルの当接部は、てこの原理によって電源ソケット側に向けて押圧され、これによって、電源プラグと電源ソケットの係合が解除される。
【００２４】
これにより、電源プラグと電源ソケットとの接続を係合爪と被係合部との係合によって確実なものとすることができると共に、これらの接続作業性及び取外作業性の向上を図ることができる。
【００２５】
請求項３の発明によれば、上記各発明に加えて、電源プラグの端子とは反対側の面にハンドルが当接することにより、ハンドルの回動が制限、又は、停止されるので、簡素な構成にてハンドルの回動を制限又は停止することが可能となる。生産性の向上を図ることができる。
【００２６】
請求項４の発明によれば、上記各発明に加えて、係合爪は、当接部が電源ソケットに当接すること無く電源プラグが当該電源ソケットに押し付けられた場合にも、被係合部に係脱自在に係合可能とされているので、ハンドルの回動位置に影響されることなく、円滑に電源プラグを電源ソケットに脱着させることができる。利便性の向上を図ることができる。
【００２７】
請求項５の発明によれば、上記各発明に加えて、電源ソケットは、電源プラグの端子が電極部に接続されていない状態で当該電極部を被覆する防滴カバーを備えるので、電源プラグが電源ソケットに接続されていない状態で、電源ソケットの電極部に防滴カバーを取り付けることで、電源ソケットの電極部が冷気に晒され、結露水が内部に侵入する不都合を抑制することが可能となる。
【００２８】
請求項６の発明によれば、上記発明に加えて、電源ソケットは、電極部に並設されて防滴カバーを着脱自在に保持する保持部を備えているため、電源ソケットに電源プラグを接続して使用する場合にも、当該防滴カバーのみを別途保管しておく必要が無くなり、防滴カバーを紛失してしまう不都合を回避することが可能となる。
【００２９】
また、防滴カバーは、弾性を有して延在し、先端が電源ソケットに回動自在に枢支された連結腕を備え、この連結腕は、先端と防滴カバーの中心とを結ぶ線が防滴カバーと交差する位置とは異なる位置より突出し、先端に向けて延在しているので、限られたスペース内において連結腕の長さをより長く構成することが可能となり、その弾性によって、電極部や保持部への着脱の際に必要とされる長さを確保することができる。
【００３０】
これにより、防滴カバーを電源ソケットに好適に枢支しつつ、防滴カバーの電極部及び保持部の着脱作業性を向上させることができる。
【図面の簡単な説明】
【００３１】
【図１】低温ショーケースの概略縦断側面図である。
【図２】電源接続装置の正面図である。
【図３】電源ソケットの正面図である。
【図４】電源ソケットの背面図である。
【図５】電源ソケットの右側面図である。
【図６】電源ソケットの縦断側面図である。
【図７】電源ソケットの防滴カバーを取り付けた正面図である。
【図８】電源プラグの正面図である。
【図９】電源プラグの背面図である。
【図１０】電源プラグの右側面図（電源ソケットに近接した状態）である。
【図１１】電源プラグの右側面図（電源ソケットから離間させる側に回動させた状態）である。
【図１２】図１０の断面図である。
【図１３】図１１の断面図である。
【図１４】電源接続装置の縦断側面図である。
【図１５】係合爪と被係合部との接続状態を説明する図である。
【図１６】係合爪と被係合部との接続状態を説明する図である。
【図１７】係合爪と被係合部との接続状態を説明する図である。
【図１８】係合爪と被係合部との接続状態を説明する図である。
【発明を実施するための形態】
【００３２】
以下、本発明を適用した低温ショーケース１について図１の低温ショーケース１の概略縦断側面図を参照して説明する。低温ショーケース１はスーパーマーケットやコンビニエンスストアなどの店舗内に設置されるものであり、断面略コ字状の断熱壁２の両側に側板３、３を取り付けて本体４が構成される。この断熱壁２の内側には間隔を存して仕切板６及び底板７が取り付けられ、これらの内側に前面に開口した陳列室５が構成されると共に、これらと断熱壁２との間に一連の冷気ダクト９が構成されている。
【００３３】
そして、このダクト９は陳列室５の開口上縁にて開口する吐出口１０と、開口下縁にて開口する吸込口１１に連通すると共に、背面の冷気ダクト９には冷却装置Ｒに含まれる冷却器１２が縦設され、底板７下方の冷気ダクト９内には送風機１３が設置される。
【００３４】
陳列室５内には、上下に渡って複数段の棚８・・が架設される。この棚８は、左右に取り付けられるブラケット６５、６５により、陳列室５内に設けられる図示しない支柱に保持される。当該支柱は、上下に渡って複数の係合孔が穿設されており、ブラケット６５の後端に形成される図示しない係合爪により当該支柱に架設される棚８は、任意に取付位置を変更することが可能とされる。そして、当該棚８の下面には、下側に架設される棚８上の商品や、陳列室５前方を照明するための照明灯１４が着脱自在に取り付けられている。
【００３５】
また、断熱壁２の前面開口の上縁には、吐出口１０の前側に位置してキャノピー１５が設けられ、当該キャノピー１５の下部には、陳列室５内や陳列室５周辺を上部から照明するための照明灯１６が取り付けられている。
【００３６】
一方、断熱壁２の下方には、機械室１７が形成されており、当該機械室１７内には、ユニットベース１８が設けられると共に、当該ユニットベース１８上には、上記冷却装置Ｒに含まれる圧縮機１９、凝縮器２０及び凝縮器用送風機２１が設置され、機械室１７内に配設される。
【００３７】
以上の構成により、前記送風機１３が運転されると冷却器１２と熱交換した冷気はダクト９内を上昇せられ、前記吐出口１０より陳列室５内に吐出される。そして、前記吸込口１１から吸い込まれた冷気は再び送風機１３によって加速され、陳列室５内に冷気が循環されて陳列室５内は所定の温度に冷却される。
【００３８】
次に、図２乃至図１３を参照して本発明の電源接続装置２５について詳述する。図２は電源接続装置２５の正面図、図３は電源ソケット２７の正面図、図４は電源ソケット２７の背面図、図５は電源ソケット２７の右側面図、図６は電源ソケット２７の縦断側面図、図７は電源ソケット２７の防滴カバー３０を取り付けた正面図、図８は電源プラグ２８の正面図、図９は電源プラグ２８の背面図、図１０は電源プラグ２８の右側面図（電源ソケット２７側に回動させた状態）、図１１は電源プラグ２８の右側面図（電源ソケット２７から離間させる側に回動させた状態）図１２は図１０の断面図、図１３は図１１の断面図、図１４は電源接続装置２５の縦断側面図をそれぞれ示している。
【００３９】
本実施例における電源接続装置２５は、上述した如き低温ショーケース１の陳列室５内を照明するために用いられる照明灯１４、１６に電源を供給するための装置であり、低温ショーケース１の陳列室５背面を構成する仕切板６に設置される電源ソケット２７と、この電源ソケット２７に差し込んで照明灯１４又は１６に電源を供給する電源プラグ２８とにより構成される。本実施例では、電源接続装置２５は、各照明灯１４、１６ごとに対応して設けられているため、仕切板６には、上下に渡って複数、例えば、照明灯１４の数に対応して例えば同数或いはそれ以上の電源ソケット２７が支柱６４に沿って設けられる。
【００４０】
電源ソケット２７は、図６の断面図に示すように略矩形の容器状の取付ベース３１により構成された硬質合成樹脂等で形成される。この取付ベース３１を構成する外周壁３２の端部には、外向きフランジ３３が形成されている。尚、図中３３Ｂは、後述する電極部３６に接続される電源プラグ２８のリード線５２を収納する凹み部である。また、外向きフランジ３３には、電源プラグ２８との接続側とは反対側に位置して、ショーケース１の仕切板６を挟持するための固定爪３３Ａが形成されている。
【００４１】
また、取付ベース３１には、外周壁３２の内側に凹所３４が形成されている。この凹所３４の底部３４Ａには、リング状の溝３５が形成され、この溝３５の内方には、凹所３４の開口側に突出した電極部３６が形成されている。この電極部３６には、２つの電源用差込口３７と、１つの接地用差込口３８とが設けられている。これら電源用差込口３７及び接地用差込口３８には、凹所３４の底部３４Ａ側から対応したリード線３９に電気的に接続されている。
【００４２】
ここで、各差込口３７、３８に接続されたリード線３９は、外周壁３２に形成されるリード線引出部４１から外方に引き出されており、当該凹所３４の底部は、着脱自在に設けられる閉塞部材４０にて閉塞される。
【００４３】
そして、この電極部３６の外周面には、リング状のシール材４３が取り付けられている。本実施例において、このシール材４３は、ゴム材料により構成されており、この外面には、奥行き方向に渡って所定間隔を存して設けられる複数のリング状の突部４３Ａ・・が形成されている。これにより、詳細は後述する如く電極部３６に接続される電源プラグ２８や防滴カバー３０を安定して水密的に保持することができる。
【００４４】
また、電源ソケット２７の取付ベース３１の凹所３４を構成する外周壁３２の内面側には、電源プラグ２８に形成される係合爪５３と、着脱可能に係合する被係合部４２、４２が形成されている。被係合部４２は、凹所３４の底部３４Ａと所定の間隔を存して、内方に所定寸法だけ突出して形成される。本実施例では、当該被係合部４２は、相対向する二箇所に形成されている。
【００４５】
取付ベース３１の電極部３６が形成される溝３５の外縁部には、前記被係合部４２の外方側に位置して突起部４４が形成されている。この突起部４４は、凹所３４の底部３４Ａから所定寸法、開口側、即ち、接続される電源プラグ２８側に向けて突出して形成されている。この突起部４４は、電源プラグ２８に形成される当接部５９と少なくとも、ハンドル５１操作による脱着動作時に当接するものであり、当該当接部の安定した摺動を実現すべく、被係合部４２側から外方に向けて高く傾斜した傾斜面４４Ａが形成されている。
【００４６】
更にまた、取付ベース３１の凹所３４の底部３４Ａには、防滴カバー３０を保持する、本実施例では、略円形に凹陥した防滴カバー保持部４６が電極部３６に並設されている。防滴カバー３０は、電源用差込口３７及び接地用差込口３８が形成される電極部３６端面を着脱自在に被覆するカバー部３０Ａと、当該カバー部３０Ａと電源ソケット２７の取付ベース３１とを連結する連結腕３０Ｂとから構成されている。
【００４７】
本実施例では、電極部３６の端面は、略円形を呈しているため、カバー部３０Ａは、当該電極部３６の端面を被覆する略円形の本体と、当該本体の外周に形成され、電極部３６の側壁と当接して嵌合する側壁とから構成される。この側壁には、外方に突出した複数の突起３０Ｃ・・が形成されており、当該突起３０Ｃの弾性によって前記防滴カバー保持部４６に着脱自在に係合される。また、このカバー部３０Ａの外面には、脱着作業を行うための把持部３０Ｄが形成されている。
【００４８】
連結腕３０Ｂの一端（先端）３０Ｅは、取付ベース３１の底部３４Ａに回動軸４７を中心として回動自在に枢支される。このとき、当該連結腕３０Ｂの先端３０Ｅは、防滴カバー保持部４６と電極部３６のそれぞれに対して略等距離とされる位置となるように底部３４Ａに設けられる。
【００４９】
そして、この連結腕３０Ｂは、回動軸４７に軸支される先端３０Ｅとカバー部３０Ａの中心とを結ぶ線がカバー部３０Ａと交差する位置とは異なる位置より突出し、先端３０Ｅに向けて延在して形成される。本実施例では、連結腕３０Ｂは、カバー部３０Ａが防滴カバー保持部４６に保持された状態で、より電極部３６から離間した位置より外方に向けて略直角に突出し、その後、取付ベース３１の外周壁３２の内面形状に沿って湾曲しながら当該防滴カバー保持部４６と電極部３６と略等距離の位置に設けられる先端３０Ｅに向けて延在して形成される。
【００５０】
この連結腕３０Ｂは、所定の弾性を有しており、図３のようにカバー部３０Ａが防滴カバー保持部４６に保持されている状態で、把持部３０Ｄを持って外方に向けて引き抜くことにより、連結腕３０Ｂによって、カバー部３０Ａが取付ベース３１に取り付けられた状態を維持したまま、突起３０Ｃの弾性によりカバー部３０Ａが防滴カバー保持部４６から離脱される。そして、連結腕３０Ｂの先端３０Ｅが枢支される回動軸４７を中心として連結腕３０Ｂ及びカバー部３０Ｂを電極部３６側に回動させ、電極部３６の端面に向けて当該カバー部３０Ｂを押し付けることで、当該カバー部３０Ｂを電極部３６に嵌合させることができる（図７参照）。尚、電極部３６から防滴カバー３０を外す場合には、上記動作と逆の動作を行う。
【００５１】
これにより、電源プラグ２８の端子５４、５５が電極部３６に接続されていない状態では、防滴カバー３０によって電極部３６を被覆することができるため、電源プラグ２８が電源ソケット２７に接続されていない状態で、電極部３６が庫内を循環する冷気に晒され、結露水が内部に侵入する不都合を抑制することが可能となる。
【００５２】
防滴カバー３０は、取付ベース３１に形成された防滴カバー保持部４６に保持することができるため、電源ソケット２７に電源プラグ２８を接続して使用する場合にも、当該防滴カバー３０のみを別途保管しておく必要が無くなり、防滴カバー３０を紛失してしまう不都合を回避することが可能となる。
【００５３】
また、カバー部３０Ａには、上述したような連結腕３０Ｂが設けられているため、カバー部３０Ａは、連結腕３０Ｂによって取付ベース３１に取り付けられた状態を維持したまま、最小限の軌跡を移動して電極部３６への嵌合及び防滴カバー保持部４６への保持を実現することができる。この際、電極部３６及び防滴カバー保持部４６への脱着作業には、外方への引き抜き動作が伴うが、本実施例では、カバー部３０Ａと取付ベース３１とを連結する連結腕３０Ｂは、取付ベース３１内という限られたスペース内において連結腕３０Ｂの長さをより長く構成することが可能となり、その弾性によって、電極部３６や防滴カバー保持部４６への着脱の際に必要とされる長さを確保することができる。
【００５４】
これにより、防滴カバー３０を電源ソケット２７の取付ベース３１に好適に枢支しつつ、防滴カバー３０の電極部３６及び防滴カバー保持部４６の着脱作業性を向上させることができる。
【００５５】
尚、本実施例では、取付ベース３１に形成される防滴カバー保持部４６は、略円形に凹陥した形状によって形成され、防滴カバー３０を防滴カバー保持部４６に保持させる突起は、カバー部３０Ａに形成されているため、取付ベース３１側の防滴カバー保持部４６の清掃性を良好なものとすることができる。
【００５６】
次に、上記電源ソケット２７の電極部３６に接続される電源プラグ２８について説明する。電源プラグ２８は、合成樹脂等で成形された本体５０と円筒部４９と、本体５０に回動自在に設けられたハンドル５１とを備える。
【００５７】
円筒部４９の内側に位置する底部４９Ａには、図９に示すように２つの電源用端子５４と一つの接地用端子５５が設けられており、当該端子５４等は、円筒部４９によって内包される。これら電源用端子５４及び接地用端子５５には、陳列室５内に取り付けられる照明灯１４、１６のリード線５２が電気的に接続されている。
【００５８】
そして、電源プラグ２８の本体５０の外面端部には、ハンドル５１が回動自在に設けられる。即ち、ハンドル５１は、図８に示すように、電源プラグ２８の本体５０の円筒部４９が設けられる側とは反対側の面に位置し、その両側部に設けられる腕部５６、５６は、本体５０の両側面に外方に向けて突出する回動軸５７、５７に回動自在に枢支される。
【００５９】
図１０は電源プラグ２８を本体５０の側方から見ている。本実施例において腕部５６は、両腕部５６、５６の連結側（一端部）を把手部５８、リード線５２側に位置する端部（他端部）に当接部５９を有する。そして、これら把手部５８と当接部５９との間に位置し、本体５０の回動軸５７と回動自在に枢支される枢支部（回動孔）６０が形成されている。尚、当接部５９は、上述したように、ハンドル５１操作による脱着動作時に電源ソケット２７の突起部４４と当接するものであり、当該当接部５９の電源ソケット２７側の端面は、所定角度にて傾斜した傾斜面とされている。
【００６０】
そして、腕部５６の円筒部４９側の端面には、枢支部６０の側方に位置して当該円筒部４９側、電源ソケット２７側に突出する外向きの係合爪５３が形成されている。当該係合爪５３は、上述した如き電源ソケット２７の被係合部４２と係脱自在に係合可能とする係合部である。尚、当該係合爪５３の形成位置は、これに限定されるものではなく、枢支部６０より把手部５８側に位置して設けられても良い。
【００６１】
また、ハンドル５１の把手部５８は、外端から枢支部６０が形成される位置にまで端子５４、５５が設けられている側とは反対側の面に当接する回動規制部６１が形成されている。これにより、当該ハンドル５１は、枢支部６０を中心として回動させた際、把手部５８の本体５０側の面が当接する位置（図１０及び図１２）から、当該回動規制部６１の端面が本体５０側の面に当接する位置（図１１及び図１３）の範囲に回動範囲が規制される。
【００６２】
以上の構成により、電源ソケット２７を前述した如き仕切板６に装着する際には、仕切板６に予め形成された図示しないソケット用孔に電源ソケット２７を陳列室５側から冷気ダクト９側に突出させて装着し、電源ソケット２７の固定爪３３Ａと外向きフランジ３３とで仕切板６を挟持させ、電源ソケット２７を仕切板６に固定する。これにより、電源ソケット２７の取付ベース３１の開口側、即ち、電源プラグ２８の接続側が陳列室５側に位置し、凹所３４の底部３４Ａ側が冷気ダクト９側に位置する。
【００６３】
次に、電源ソケット２７の電極部３６に電源プラグ２８を脱着する動作について、上記各図に加えて、図１５乃至図１８の係合爪５３と被係合部４２の接続状態を説明する図を参照して説明する。先ず、電源ソケット２７の電極部３６に電源プラグ２８を接続する場合について説明する。防滴カバー３０にて電極部３６が被覆されている場合には、当該防滴カバー３０を電極部３６から外し当該電極部３６を露出させる。
【００６４】
そして、電源プラグ２８のハンドル５１を枢支部６０を中心として回動させ、図１１のように把手部５８が電源ソケット２７とは反対側に傾動し、当接部５９が電源ソケット２７側に突出した状態とする。この場合、電源プラグ２８のハンドル５１の把手部５８は、端子５４、５５が設けられている側（円筒部４９側）とは反対側の面に当接する回動規制部６１によって、本体５０に当接した状態から把手部５８が電源ソケット２７とは離間する方向への回動角度が所定角度、即ち、９０°未満の範囲に制限され、それ以上の回動が停止される。
【００６５】
この状態で、電源プラグ２８の円筒部４９を電源ソケット２７の電極部３６に近接させていき、これによって、電源プラグ２８の当接部５９と電源ソケット２７の突起部４４とが当接する（電源プラグ２８は図１５の状態）。尚、円筒部４９内に少許電極部３６が進入した状態で、円筒部４９の内径と電極部３６の外周に設けられたシール材４３の外径寸法との関係により、円筒部４９は、電極部３６に仮保持される。
【００６６】
更に、電源プラグ２８の端子５４、５５を電源ソケット２７の電極部３６に接続する方向に電源プラグ２８が電源ソケット２７に押し付けることにより、電源プラグ２８側のハンドル５１の当接部５９が電源ソケット２７の突起部４４の傾斜面４４Ａに押圧されて摺動し、枢支部６０が本体５０の回動軸５７を中心として当接部５９が電源ソケット２７から離間する方向に、把手部５８が電源ソケット２７に近接する方向に回動される（図１６）。このように、電源プラグ２８が電源ソケット２７方向に押し付けられることによって、電源プラグ２８のハンドル５１は、更に回動し、図１７に示すように、把手部５８が本体５０の電源ソケット２７とは反対側の面（外面）に当接する。
【００６７】
このように、当接部５９と突起部４４とが当接した状態で、更に電源プラグ２８が電源ソケット２７側に押し込まれることで、把手部５８が電源ソケット２７に近接する方向にハンドル５１が回動されて、ハンドル５１に形成された各係合爪５３、５３は、円滑に電源ソケット２７に形成された被係合部４２、４２に係合される。当該電源プラグ２８が電源ソケット２７に押し込まれることで、電源プラグ２８の電源用端子５４及び接地用端子５５はそれぞれ電源ソケット２７の電源用差込口３７及び接地用差込口３８に差し込まれ、電極部３６と各端子５４、５５は電気的に接続される。
【００６８】
このとき、電源プラグ２８のハンドル５１は、回動規制部６１によって、回動角度が所定角度、即ち、係合爪５３が被係合部４２に係合された起立状態から把手部５８が電源ソケット２７から離間する方向への回動が、電源ソケット２７と交差する角度が９０°未満となる角度に規制され、把手部５８の電源ソケット２７から離間する方向への回動は、当接部５９が電源ソケット２７に当接した際に、把手部５８が電源ソケット２７に近接する方向にハンドル５１が回動する角度にて制限される。
【００６９】
そのため、簡素な構成によって、電源プラグ２８と電源ソケット２７の接続に適切な角度、即ち、当接部５９が電源ソケット２７側に当接し、電源プラグ２８が電源ソケット２７側に押し付けられた際に、当該当接部５９が電源ソケット２７から離間する方向にのみ回動可能な角度とすることができる。これによって、容易にハンドル５１の角度を規制することができ、生産性の向上を図ることができる。
【００７０】
従って、この状態で電源ソケット２７に電源プラグ２８を押し込む動作がなされることで、ハンドル５１を把手部５８が電源ソケット２７に近接する方向に円滑に回動させて、係合爪５３と被係合部４２との係合を行うことが可能となる。これにより、接続作業性の向上を図ることができる。
【００７１】
これによって、電源プラグ２８は、電源ソケット２７と、端子５４、５５と電極部３６との接続のみ成らず、電源プラグ２８側の係合爪５３と電源ソケット２７側の被係合部４２とを係合させることによって、これらに付着した霜の成長等が影響しても、電源プラグ２８が電源ソケット２７から脱落してしまい、漏電や錆び付きの原因を解消することが可能となる。
【００７２】
一方、電源プラグ２８を電源ソケット２７から取り外す際には、作業者は、電源プラグ２８のハンドル５１に形成された把手部５８を電源ソケット２７から離間する方向に回動させる。これにより、ハンドル５１の枢支部６０が本体５０の回動軸５７を中心として回動され、図１６に示すように、先ず電源プラグ２８の係合爪５３と電源ソケット２７の被係合部４２との係合が解除される。
【００７３】
そして、更に、把手部５８を電源ソケット２７から離間する方向に回動させることにより、電源ソケット２７に近接する側に回動されるハンドル５１の当接部５９は、電源ソケット２７の突起部４４に当接し、当該突起部４４の傾斜面４４Ａに沿って摺動することで、てこの原理によって電源ソケット２７側に向けて押圧され、これによって、電源ソケット２７の電極部３６から端子５４、５５が（溝３５内に進入する円筒部４９が）引き離される方向に力が加わって、電極部３６と端子５４、５５との電気的接続が解除され、電源プラグ２８と電源ソケット２７の係合が解除される。
【００７４】
そのため、シール材４３による電極部３６と電源プラグ２８の円筒部４９との結合が低温雰囲気で使用されることにより強固となった場合であっても、てこの原理を利用して、把手部５８を電源ソケット２７から離間する方向に回動させる小さな力を利用して円滑に、電源プラグ２８を電源ソケット２７から取り外すことが可能となる。
【００７５】
特に、本実施例では、ハンドル５１の当接部５９は、電源ソケット２７側から電源プラグ２８側に突出する突起部４４と当接する構成とされているため、枢支部６０から当接部５９までの寸法を小さく構成することができ、これによって、ハンドル５１の把手部５８の小型化を図ることができる。
【００７６】
このように、本実施例における電源プラグ２８と電源ソケット２７との接続は、係合爪３５と被係合部４２との係合によって確実なものとすることができると共に、これらの接続作業性及び取外作業性の向上を図ることができる。
【００７７】
尚、本実施例における電源プラグ２８は、図１８に示すように、ハンドル５１の把手部５８を電源ソケット２７側に回動させた状態、即ち、ハンドル５１の当接部５９が電源ソケット２７側に突出した状態としないで、電源プラグ２８の円筒部４９を電源ソケット２７の電極部３６に押し付けた場合には、電源プラグ２８側の係合爪５３と、電源ソケット２７側の被係合部４２は、所定の弾性を有する材料にて構成されていることから、電源プラグ２８が電源ソケット２７内に押し込まれる力によって変形し、これにより、係合部５３が被係合部４２を乗り越えることによって、係合部５３が被係合部４２に係合される。
【００７８】
これにより、電源プラグ２８は、ハンドル５１の回動位置に影響されることなく、円滑に電源プラグ２８を電源ソケット２７に脱着させることが可能となり、利便性の向上を図ることができる。
【符号の説明】
【００７９】
１    低温ショーケース
５    陳列室
６    仕切板
１４、１６  照明灯
２５    電源接続装置
２７    電源ソケット
２８    電源プラグ
３０    防滴カバー
３０Ａ  カバー部
３０Ｂ  連結腕
３０Ｃ  突起
３０Ｄ  把持部
３０Ｅ  先端
３１    取付ベース
３２    外周壁
３４    凹所
３５    溝
３６    電極部
３７、３８  差込口
３９    リード線
４１    リード線引出部
４２    被係合部
４３    シール材
４４    突起部
４４Ａ  傾斜面
４６    防滴カバー保持部
４７    回動軸
４９    円筒部
４９Ａ  底部
５０    本体
５１    ハンドル
５２    リード線
５３    係合爪
５４、５５  端子
５６    腕部
５７    回動軸
５８    把手部
５９    当接部
６０    枢支部（回動孔）
６１    回動規制部
６５    ブラケット
【図１】
2011034764.tif 000003
【図２】
2011034764.tif 000004
【図３】
2011034764.tif 000005
【図４】
2011034764.tif 000006
【図５】
2011034764.tif 000007
【図６】
2011034764.tif 000008
【図７】
2011034764.tif 000009
【図８】
2011034764.tif 000010
【図９】
2011034764.tif 000011
【図１０】
2011034764.tif 000012
【図１１】
2011034764.tif 000013
【図１２】
2011034764.tif 000014
【図１３】
2011034764.tif 000015
【図１４】
2011034764.tif 000016
【図１５】
2011034764.tif 000017
【図１６】
2011034764.tif 000018
【図１７】
2011034764.tif 000019
【図１８】
2011034764.tif 000020